(57)【要約】【課題】段ボール箱などに貼付けた粘着テープを容易に摘んで剥離することができるタグを粘着テープに簡単に形成できるようにする。【解決手段】粘着テープの側辺を粘着面側に折込んでテープ側辺に沿って予め折り目をつけた粘着テープを、テープ幅より小幅に設定されるとともに溝状に開放された案内径路において適度のテンションをかけながら案内走行させる。【選択図】        図２
2004277078.tif 000002
【特許請求の範囲】
【請求項１】
粘着テープの側辺に沿って非接着部分であるタブを形成するタブ形成方法であって、
粘着テープの側辺を粘着面側に折込んでテープ側辺に沿って予め折り目をつけた粘着テープを、テープ幅より小幅に設定されるとともに溝状に開放された案内径路において適度のテンションをかけながら案内走行させることを特徴とする粘着テープのタブ形成方法。
【請求項２】
粘着テープの側辺に沿って非接着部分であるタブを形成するタブ形成機構であって、
搬送される粘着テープに抵抗をかけて張力を発生させる張力付与手段のテープ繰出し方向下手位置に折込み案内ローラを配備するとともに、この折込み案内ローラの外周にテープ幅より小幅に設定された溝状の案内径路を形成し、繰出された粘着テープを折込み案内ローラの案内径路に巻回案内して走行通過させることでテープ側辺に沿ってタブを連続的に折り込み形成するタブ形成部を構成してあることを特徴とする粘着テープのタブ形成機構。
【請求項３】
請求項２に記載のタブ形成部を備えたテープ繰出し装置であって、
粘着テープを繰出すテープ供給手段と、
前記テープ供給手段から繰出された粘着テープを搬送するテープ搬送手段と、
粘着テープを所定の位置で切断するテープ切断手段とを備えるとともに、テープ供給手段とテープ搬送手段との間に、前記タブ形成部を配備してあることを特徴とするテープ繰出し装置。
【請求項４】
請求項２に記載のタブ形成部を備えた封緘装置であって、
製函前の段ボール箱を前後方向に向かう一定の搬送径路に沿って搬送する搬送手段と、
粘着テープを段ボール箱に貼り付けてフラップを閉止する閉止手段と、
貼付けた粘着テープを所定位置で切断するテープ切断手段とを備えるとともに、テープ繰出し搬送径路中に前記タブ形成部を配備してあることを特徴とする封緘装置。
【請求項５】
請求項４に記載の封緘装置であって、
前記テープ切断手段は、揺動アームの先端に回転丸刃を備えた構成であり、かつ、揺動アームを貼り付けた粘着テープに接近揺動させることに連動して、前記回転丸刃が回転して粘着テープに作用するよう構成してあることを特徴とする封緘装置。
【発明の詳細な説明】
【０００１】
【発明の属する技術分野】
この発明は、各種の封緘に使用される粘着テープに貼り付けた粘着テープを剥離する際の指掛かりとなるタブを形成する方法、このタブを形成する装置、および、それを用いたテープ繰出し装置並びに封緘装置に関する。
【０００２】
【従来の技術】
従来、貼り付けた粘着テープを剥離する際の指掛かりとなるタブは、粘着テープの先端部を粘着面側に折り込んで形成されている（特許文献１参照）。
【０００３】
【特許文献１】
特開平１１−４９４１９号公報
【０００４】
【発明が解決しようとする課題】
例えば、農作物を梱包する段ボール箱を開封したり解体する場合、作業者は手袋をつけて作業することが多いが、テープ端部に形成されたタブを手袋をつけたままでは摘みにくく、わざわざ手袋を外す必要があり、煩わしいものとなっている。
【０００５】
また、テープ接着が強いと、剥離の途中で粘着テープが切れてしまうことも多々あり、完全に貼り付いているテープ切断端をめくり上げるのに手数がかかっている。
【０００６】
本発明は、このような点に着目してなされたものであって、段ボール箱などに貼付けた粘着テープを容易に摘んで剥離することができるタブを粘着テープに形成する方法、そのタブ形成装置、および、これらを好適に利用したテープ繰出し装置、並びに、封緘装置を提供することを目的とする。
【０００７】
【課題を解決するための手段】
この発明は、このような目的を達成するために、次のような構成をとる。
すなわち、請求項１に係る本発明は、粘着テープの側辺に沿って非接着部分であるタブを形成するタブ形成方法であって、
粘着テープの側辺を粘着面側に折込んでテープ側辺に沿って予め折り目をつけた粘着テープを、テープ幅より小幅に設定されるとともに溝状に開放された案内径路において適度のテンションをかけながら案内走行させることを特徴とするものである。
【０００８】
（作用・効果）  請求項１の発明方法によると、粘着テープが幅狭の案内径路を走行する際に、予め付けた折り目がテープ張力と案内径路の側壁の案内作用によって後続のテープ部分にまで成長し、案内径路を通過した粘着テープの側辺に沿って連続したタブが形成される。
【０００９】
このように側辺に沿ってタブが連続形成された粘着テープを対象物に貼付けると、貼付けられた粘着テープの全長に亘ってタブが存在するので、タブを容易に摘んで剥離することができる。また、例え剥離途中で粘着テープが切れても、残っているテープ部分のタブを摘んで剥離を再開することができる。
【００１０】
また、請求項２に係る本発明は、粘着テープの側辺に沿って非接着部分であるタブを形成するタブ形成機構であって、
搬送される粘着テープに抵抗をかけて張力を発生させる張力付与手段のテープ繰出し方向下手位置に折込み案内ローラを配備するとともに、この折込み案内ローラの外周にテープ幅より小幅に設定された溝状の案内径路を形成し、繰出された粘着テープを折込み案内ローラの案内径路に巻回案内して走行通過させることでテープ側辺に沿ってタブを連続的に折り込み形成するタブ形成部を構成してあることを特徴とするものである。
【００１１】
（作用・効果）  請求項２の発明に係るタブ形成機構によると、粘着テープを折込み案内ローラに巻回する際、予めテープ側辺の一部に形成した折り目を、折込み案内ローラに形成された案内径路に外周から係入し、その後、粘着テープを繰出し走行させる。これによって、折込み案内ローラにおいてはテープ張力と案内径路の側壁の案内作用によって折り目が後続のテープ部分にまで成長し、折込み案内ローラを通過した粘着テープの側辺に沿って連続したタブが形成される。したがって、テープセッティング操作が簡単で取扱い性に優れたものとなる。
【００１２】
また、請求項３に係る本発明は、請求項２に記載のタブ形成部を備えたテープ繰出し装置であって、
粘着テープを繰出すテープ供給手段と、
前記テープ供給手段から繰出された粘着テープを搬送するテープ搬送手段と、
粘着テープを所定の位置で切断するテープ切断手段とを備えるとともに、テープ供給手段とテープ搬送手段との間に、前記タブ形成部を配備してあることを特徴とするものである。
【００１３】
（作用・効果）  請求項３の発明によると、側辺に沿ってタブを連続形成しながら粘着テープを搬送して適時切断することで、側辺タブ付きの粘着テープを必要長さだけ取り出すことができる。したがって、各種物品の梱包や封止に便利に使用できる。
【００１４】
請求項４に係る本発明は、請求項２に記載のタブ形成部を備えた封緘装置であって、
製函前の段ボール箱を前後方向に向かう一定の搬送径路に沿って搬送する搬送手段と、
粘着テープを段ボール箱に貼り付けてフラップを閉止する閉止手段と、
貼付けた粘着テープを所定位置で切断するテープ切断手段とを備えるとともに、テープ繰出し搬送径路中に前記タブ形成部を配備してあることを特徴とするものである。
【００１５】
（作用・効果）  請求項４の発明によると、側辺に沿ってタブを連続形成しながら粘着テープを搬送して、段ボール箱に貼付けてフラップを閉止し、適所を切断することで段ボール箱の封緘を行うことができる。また、このようにして貼付けられた粘着テープには、その全長に亘ってタブを有しているので、段ボール箱の開封や解体時にテープの摘み上げが容易となり、結果、箱などの開封や使用後の箱解体時におけるテープ剥離を容易に行うことができる。
【００１６】
さらに、請求項５に係る本発明は、前記テープ切断手段は、揺動アームの先端に回転丸刃を備えた構成であり、かつ、揺動アームを貼り付けた粘着テープに接近揺動させることに連動して、前記回転丸刃が回転して粘着テープに作用するよう構成してあることを特徴とするものである。
【００１７】
（作用・効果）  請求項５の発明によると、回転丸刃が回転しながら粘着テープを切断するので、テープが二重に貼り合わされて切断抵抗が大きくなっているタブ部分も容易に切断される。また、テープ幅方向への直線切りができるので、綺麗な切断端の粘着テープで仕上がりのより封緘が可能である。さらに、従来の鋸刃で切断して貼り付けた粘着テープを剥離する際、その切断面の谷の部分からテープ長手方向に裂けて発生していた剥離不良を回避することができる。
【００１８】
【発明の実施の形態】
以下、図面を参照して本発明の実施例のいくつかを説明する。
【００１９】
図１に、卓上型に構成されたテープ繰出し装置が示されている。このテープ繰出し装置は、本体ケース１、その後部に配備されたテープ供給部２、本体ケース１に内装されたテープ搬送機構３、および、テープ切断機構４等を備えている。
【００２０】
前記テープ供給部２は、本体ケース１の後部に立設したステー５の上端部にボビン６が回転自在に装着され、このボビン６にテープリールＴＲが側方から嵌合止着された構造となっている。このテープリールＴＲから粘着テープＴを繰出す際に、適度の張力がもたらされるように、ボビン６には回転抵抗が付与されている。
【００２１】
テープ搬送機構３は、送り出しローラ７と押さえローラ８との間に粘着テープＴを案内挟持して、本体ケース１の前面に設けられた取出し口９に送り出すように構成されたものであり、本体ケース１の操作部１０で指定された長さだけ粘着テープＴを搬送する。
【００２２】
テープ切断機構４は、切断刃１１を下降作動させて粘着テープＴを切断するよう構成されており、テープ搬送機構３によって所定長さの送り出しが完了すると切断作動する。
【００２３】
テープ供給部２とテープ搬送機構３との間にタブ形成部Ａが配備されている。このタブ形部Ａには、テープ供給部２から繰出されてきた粘着テープＴを、その非粘着面側から巻回案内する折込み案内ローラ１２が配備されている。
【００２４】
この折込み案内ローラ１２は、図２および図４に示すように、ステー５の側面に水平に取り付けられた支軸１３に遊転自在に装着されており、その外周には、粘着テープＴの幅よりも小幅に設定された溝状の案内径路１４が凹入形成されている。
【００２５】
このタブ形成部Ａの機能を以下に説明する。テープセッティングに際しては、テープ供給部２から繰出された粘着テープＴを折込み案内ローラ１２に巻回案内してテープ搬送機構３に導く。この場合、粘着テープＴの一部においてその一側辺を粘着面側に折り込んで折り目を付けておき、この折り目形成によって幅が小さくなったテープ部分を折込み案内ローラ１２の案内径路１４に係入する。
【００２６】
このようにセティングした状態で電源を入れ、テープ搬送機構３を作動させて粘着テープＴを取出し口９に向けて送り出すと、タブ形成部Ａにおいては、適度な張力が作用した状態で粘着テープＴが折込み案内ローラ１２の案内径路１４を走行通過することになり、テープ張力と案内径路１４の側壁の案内作用によって折り目が後続のテープ部分にまで成長し、折込ガイドローラ１２を通過した粘着テープＴの側辺に沿って連続したタブｇが貼り合わせ形成されるのである。
【００２７】
以後、タブ形成部Ａではテープ繰出し走行に伴ってテープ側辺にタブｇが連続形成されることになり、取出し口９から所望長さに切断されて取り出される粘着テープＴは、図３に示すように、連続タブ付きのものとなる。
【００２８】
なお、幅が異なった粘着テープＴに交換された場合、あるいは、タブｇの幅を変更する場合には、それに合わせて案内径路１４の幅の異なった折込ガイドローラ１２と交換する。
【００２９】
図５に示すように、折込ガイドローラ１２を、ローラ本体１２ａとこれに外嵌して止めネジ１２ｃで固定した一対のフランジ１２ｂで構成して、両フランジ１２ｂの間にタブ形成用の案内径路１４を形成することもできる。この場合、フランジ１２ｂを位置調節して案内径路１４の幅を変更できるので、ローラ交換を要することなくテープ幅やタブ幅に応じて案内径路１４の幅を調節することができる。
【００３０】
図６〜図１４に、本発明に係る封緘装置が示されている。
【００３１】
この封緘装置は、段ボール箱の製函に利用されるものであり、図６に示すように、手押し移動可能な機台２１に、水平な搬送台２２、互いに平行に対向配備された左右一対の搬送ベルト２３ａ，２３ｂ、内フラップ折り込みガイド２４、外フラップ折り込みガイド２５、および、テープ貼付け機構２６を装備して構成されている。
【００３２】
搬送台２２は、図１５に示すように底面を上向きにした段ボール箱Ｗを載置して前後方向に水平直線移動する搬送経路Ｆを形成するものであって、機台２１の上端に設けた調節ハンドル２７の回転操作によって高さ調節可能に架設され、その前端には搬入台２２ａ、後端には搬出台２２ｂがそれぞれ取り外し可能に連結されている。
【００３３】
左右の搬送ベルト２３ａ，２３ｂは、搬送フレーム２９の前後に縦向きに軸支した一対のプーリ間に張設されたものであり、後部上方に配備した一対のモータ３０ａ，３０ｂによって独立的に駆動される。また、左右の搬送フレーム２９は機台２１の上部後方に設けた調節ハンドル３１の回転操作によって背反的に左右移動して左右搬送ベルト２３ａ，２３ｂの間隔を調節して段ボール箱Ｗを適切に挟持搬送することができるように構成されている。
【００３４】
内フラップ折り込みガイド２４は、前端縁が湾曲形成された板材からなり、搬送台２２上に底面を上向きにし、後内フラップｆｂを手折りした姿勢で載置供給された段ボール箱Ｗの前の内フラップｆａ（図１５参照）を内向きに折り込み案内するよう構成されている。
【００３５】
外フラップ折り込みガイド２５は、それぞれ片持ち状の棒材からなり、両搬送ベルト２３ａ，２３ｂの間に挟持されて搬送されてくる段ボール箱Ｗの左右の外フラップｆｃ，ｆｄ（図１５参照）を内向きに折り込み案内するように、搬送経路Ｆに沿ってＶの字状にその間隔が狭まるとともに、前方向下がりに傾斜して配備されている。
【００３６】
図７に示すように、粘着テープ貼付け機構２６は、粘着テープＴを巻回したテープリールＴＲ、案内ローラ３２、逆転防止用案内ローラ３３、搬送経路Ｆの前後に位置する前部貼付けローラ３４と後部貼付けローラ３５、および、テープ切断機構３６等を備えており、前後の貼付けローラ３４および３５は、支点Ｐ１  ，Ｐ２  を中心に上下揺動可能にフレーム板３７に枢支された揺動アーム３８および３９の遊端にそれぞれ遊転自在に装備されている。また、テープ切断機構３６は、前記フレーム板３７に支点Ｐ３  を中心に上下揺動可能に支持された揺動アーム４０の遊端部に装備されており、その詳細な構造については後述する。
【００３７】
そして、両揺動アーム３８，３９がリンク４１で連動連結されて、互いに逆回転で同調上下動するとともに、フレーム板３７と揺動アーム３９とに亘って張設したバネ４２によって両揺動アーム３８，３９を、その遊端が段ボール箱Ｗの搬送経路Ｆに突入するように付勢されている。揺動アーム３８の遊端近くには案内ローラ３２，３３で案内されてきた粘着テープＴを保持する案内ローラ４３とテープホルダ４４とが装備され、粘着テープＴの先端を、その粘着面が搬送経路Ｆの上手（図では右方）に向かう姿勢で前部貼付けローラ３４の前面に案内保持している。また、揺動アーム４０もフレーム板３７とに亘って張設したバネ４５によってその遊端部が段ボール箱Ｗにおける横側角部の移動軌跡に突入するように付勢されている。
【００３８】
テープ切断装置３６の詳細な構造を、図１０〜図１４を参照して説明する。前記揺動アーム４０の遊端部にブラケット５１が前後に位置調節可能にボルト５２で連結され、このブラケット５１の前面にカッタ保持部材５３がスペーサ５４を介してボルト５５で連結されるとともに、図１０に示すように、カッタ保持部材５３の背面に、左右方向（テープ幅方向）に並ぶ２枚の回転丸刃５６が回転支軸５７を介して遊転自在に支持されている。
【００３９】
そして、カッタ保持部材５３の前面側には幅広プレート材からなる可動部材５８が配備されるとともに、可動部材５８の内面にボルト連結した上下方向のガイドレール６０と、カッタ保持部材５３の前面に皿ネジ６１で連結したスライダ６２とが嵌合されて、可動部材５８がカッタ保持部材５３に対して上下方向にスライド変位可能に支持されている。なお、可動部材５８の内面の上下端には上部ストッパ６３ａと下部ストッパ６３ｂが設けられており、上部ストッパ６３ａがスライダ６２の上端に当接することで可動部材５８の自重によるスライド下降が制限され、また、下部ストッパ６３ｂがスライダ６２の下端に当接することで、可動部材５８の上方へのスライド限界が規制されるようになっている。
【００４０】
また、前記回転支軸５７の端部にはピニオンギヤ６４が一体形成されているとともに、可動部材５８の内面にはこのピニオンギヤ６４に噛合うラックギヤ６５がボルト６６で連結固定されており、可動部材５８がカッタ保持部材５３に対して上下スライド変位して、ピニオンギヤ６４に対してラックギヤ６５が相対移動することで、ピニオンギヤ６４が回転して回転丸刃５６が回転駆動されるようになっている。この場合、左右の回転丸刃５６は互いに逆向きに回転駆動されることになる。
【００４１】
また、前記可動部材５８の一側面には、ガイドローラ６７が備えられており、後述するように、このガイドローラ６７の上下移動軌跡中に位置するように、前記フレーム板３７にローラ受け止め部材６８が固着されている。
【００４２】
また、前記揺動アーム４０の先端下部には、案内部材６９が前後調節可能にボルト７０で連結されている。
【００４３】
この製凾装置の各部の構成は以上のようであり、前記粘着テープ貼付け機構２６の作動は次のようである。
【００４４】
（１）  図７に示すように、段ボール箱Ｗが到着しない初期状態では粘着テープＴを支持した前部貼付けローラ３４、後部貼付けローラ３５、および、テープ切断装置３６はそれぞれ段ボール箱Ｗの搬送経路Ｆに突入した位置にある。
【００４５】
この場合、テープ切断装置３６においては、揺動アーム４０が大きく下降することで、ガイドローラ６７がローラ受け止め部材６８で受け止め支持されるので、可動部材５８がカッタ保持部材５３に対して相対的に上方スライドした状態にある。
【００４６】
（２）  段ボール箱Ｗが前部貼付けローラ３４に当接すると、粘着テープＴの先端部ｔａが段ボール箱Ｗの前面に貼付けられながら前部貼付けローラ３４がバネ４２に抗して上方に後退する。また、これに伴って後部貼付けローラ３５も上昇後退する。
【００４７】
（３）  段ボール箱Ｗがさらに前進すると、図８に示すように、前部貼付けローラ３４が段ボール箱Ｗ上に乗り上がって粘着テープＴを左右の外フラップｆｃ，ｆｄの突き合わせ端辺に沿って貼付けてゆく。この際、上昇後退した後部貼付けローラ３５も段ボール箱Ｗの移動経路上にあり、また、段ボール箱Ｗとの当接によって揺動アーム４０がバネ４５に抗して押し上げられてテープ切断装置３６が粘着テープＴの上方に退避される。
【００４８】
この場合、固定のローラ受け止め部材６５がテープ切断装置３６に対して相対的に下降することになるので、可動部材５８は下降限界までスライドした状態となる。
【００４９】
（４）図９に示すように、  段ボール箱Ｗがさらに前進して前部貼付けローラ３４が段ボール箱Ｗの後端から外れても、後部貼付けローラ３５が未だ段ボール箱Ｗ上に位置している間は前部貼付けローラ３４は上昇位置に保持され、段ボール箱Ｗ後端からはみ出した粘着テープＴは緊張状態にある。ここで、揺動アーム４０の遊端に前後調節可能に取り付けた案内部材６９が段ボール箱Ｗの後端から外れると、バネ４５によってテープ切断装置３６が下降して、上記のように緊張されている粘着テープＴを切断する。
【００５０】
この場合、テープ切断装置３６においては、揺動アーム４０が大きく下降することで、ガイドローラ６７がローラ受け止め部材６８で受け止め支持された状態で、可動部材５８がカッタ保持部材５３に対して相対的に上方スライドすることになり、このスライドによって左右の回転丸刃５６は互いに逆向きに回転駆動されながら粘着テープＴに押し付けられることになり、左右回転丸刃５６の円弧刃先の下端部から粘着テープＴに食い込み開始して、一瞬にしてテープ幅方向への直線切りが行われる。
【００５１】
なお、揺動アーム４０の遊端に備えた案内部材６９の突出長さを調節することでテープ切断位置を任意に変更調節することができる。
【００５２】
（５）  段ボール箱Ｗがさらに前進することで、下降付勢されている後部貼付けローラ３５が段ボール箱Ｗの上面から後面に亘って押圧接触しながら相対移動して、粘着テープＴの後端部ｔｂを段ボール箱Ｗ後面に周り込んで貼付けてゆき、図１５に示すように、底部のテープ封緘が完了した段ボール箱Ｗを搬送経路Ｆの後端から搬出してゆく。
【００５３】
以上で、１回の粘着テープ貼付け作動が完了して初期状態に戻り、次の箱到達に備える。
【００５４】
上記のように構成され作動する封緘装置において、本発明では、粘着テープＴの一側辺に沿ってタブｇを形成するタブ形成部Ａが、前記前部貼付けローラ３４へのテープ搬送径路中に備えられている。
【００５５】
すなわち、この例においてもテープリールＴＲを装着したボビン４７には回転抵抗が付与されているとともに、前部貼付けローラ３４へのテープ搬送径路中に配備された案内ローラ３３が、テープ幅より小幅に設定した溝状の案内径路４８を外周に備えた折込み案内ローラに構成されており、この折込み案内ローラ３３の案内径路４８を粘着テープＴが張力をもって走行通過する際に、上記した作用によってテープ側辺に沿うタブｇが連続して折込み形成され、このタブ付きの粘着テープＴが段ボールＷに貼付けられるようになっているのである。
【００５６】
なお、本発明は、上記の実施例に限らず、以下のように変形実施することもできる。
【００５７】
（１）上記した各実施例では、粘着テープＴの一側辺に沿ってのみタブｇを形成しているが、粘着テープＴの両側辺に沿ってタブｇを形成して実施することもできる。
【００５８】
（２）折込み案内ローラの上手においてテープ繰出し走行に抵抗を与えて張力を発生させる張力付与手段として、上記実施例ではテープリールＴＲの回転に抵抗を与えているが、回転抵抗を与えた専用の案内ローラを折込み案内ローラの上手に配備してもよい。
【００５９】
【発明の効果】
以上の説明から明らかなように、この発明によれば、次のような効果が期待できる。
【００６０】
貼り付けた後のテープ剥離を簡単容易に行うことができる連続タブ付き粘着テープを簡単に得ることができる（請求項１）。また、タブ形成機構は、タブ形成方法を好適に実施することができるとともに、折込み案内ローラの外周に形成された案内径路へ予め折り目を付けた粘着テープを巻き掛け係入するだけでよいので、テープセッティング操作が簡単で取扱い性に優れたものとなる（請求項２）。
また、テープ繰出し装置によると、連続タブ付き粘着テープを所望長さに切断して取り出すことができるので、各種物品の梱包や封止に便利に使用できる（請求項３）。さらに、封緘装置によると、連続タブ付き粘着テープで段ボール箱を封緘することができるので、箱の開封や使用後の箱解体時におけるテープ剥離を容易に行うことができる（請求項４）。
【図面の簡単な説明】
【図１】テープ繰出し装置の概略側面図である。
【図２】タブ形成部の正面図である。
【図３】タブ付き粘着テープの一尾を示す斜視図である。
【図４】折込み案内ローラの斜視図である。
【図５】別実施例の折込み案内ローラの一部を縦断した正面図である。
【図６】段ボール箱の製函に利用する封緘装置の全体斜視図である。
【図７】テープ貼付け機構の側面図である。
【図８】テープ貼付け行程を示す側面図である。
【図９】テープ貼付け行程を示す側面図である。
【図１０】テープ切断装置の背面図である。
【図１１】テープ切断装置の一部を切欠いた平面図である。
【図１２】上昇退避位置にあるテープ切断装置の側面図である。
【図１３】下降途中にあるテープ切断装置の側面図である。
【図１４】下降位置にあるテープ切断装置の側面図である。
【図１５】封緘処理前の段ボール箱を底面側から見た斜視図である。
【図１６】封緘処理の済んだ段ボール箱を底面側から見た斜視図である。
【符号の説明】
１２  …  折込み案内ローラ
１４  …  案内径路
Ａ    …  タブ形成部
ｇ    …  タブ
Ｔ    …  粘着テープ
【図１】
2004277078.tif 000003
【図２】
2004277078.tif 000004
【図３】
2004277078.tif 000005
【図４】
2004277078.tif 000006
【図５】
2004277078.tif 000007
【図６】
2004277078.tif 000008
【図７】
2004277078.tif 000009
【図８】
2004277078.tif 000010
【図９】
2004277078.tif 000011
【図１０】
2004277078.tif 000012
【図１１】
2004277078.tif 000013
【図１２】
2004277078.tif 000014
【図１３】
2004277078.tif 000015
【図１４】
2004277078.tif 000016
【図１５】
2004277078.tif 000017
【図１６】
2004277078.tif 000018